(57)【要約】【課題】作業員が簡単に回転させることができるハンドル、それを用いた通紙装置及び通紙装置の通紙方法を提供する。【解決手段】回転軸２と、回転軸２を中心に回転する持ち手３と、回転軸２と同軸に設けられ、回転工具８の回転する回転出力軸８ａが接続される接続部４とを有するハンドル１。【選択図】      図５
2020181261.tif 000002
【特許請求の範囲】
【請求項１】
回転軸と、
前記回転軸を中心に回転する持ち手と、
前記回転軸と同軸に設けられ、回転工具の回転する回転出力軸が接続される接続部と、
を有するハンドル。
【請求項２】
前記接続部が、多角形の突部、又は、凹部よりなる、
請求項１に記載のハンドル。
【請求項３】
前記持ち手が、円板型、又は、円環型である、
請求項１又は２に記載のハンドル。
【請求項４】
前記持ち手からグリップが突出している、
請求項２に記載のハンドル。
【請求項５】
前記グリップの基部と前記持ち手にヒンジが設けられ、前記持ち手に沿って収納できる、
請求項４に記載のハンドル。
【請求項６】
前記回転工具は、電動工具、又は、空圧工具である、
請求項１又は２に記載のハンドル。
【請求項７】
請求項１に記載のハンドルと、
前記回転軸によって回転する左右一対の第１スプロケットと、
左右一対の第２スプロケットと、
左右一対の前記第１スプロケットと左右一対の前記第２スプロケットにそれぞれ架け渡された左右一対の無端状のチェーンと、
左右一対の前記チェーンの間に設けられ、ウエブを取り付けるための取り付け部材と、
を有する通紙装置。
【請求項８】
請求項１に記載のハンドルと、
前記回転軸によって回転する第１スプロケットと、
第２スプロケットと、
前記第１スプロケットと前記第２スプロケットに架け渡された無端状のチェーンと、
前記チェーンに設けられ、ウエブを取り付けるための取り付け部材と、
を有する通紙装置。
【請求項９】
請求項１に記載のハンドルと、
前記回転軸によって回転する左右一対の第１スプロケットと、
左右一対の第２スプロケットと、
左右一対の前記第１スプロケットと左右一対の前記第２スプロケットにそれぞれ架け渡された左右一対の無端状のチェーンと、
左右一対の前記チェーンの間に設けられ、ウエブを取り付けるための取り付け部材と、
を有する通紙装置の通紙方法であって、
第１位置にある前記取り付け部材に前記ウエブを取り付け、
前記接続部に回転電動工具、又は、回転空圧工具の回転出力軸を接続し、
前記回転工具を駆動して、前記回転出力軸の回転によって前記回転軸を回転させ、前記第１スプロケットと前記第２スプロケットを回転させて前記チェーンを移動させ、前記取り付け部材を前記第１位置から第２位置まで移動させる、
通紙装置の通紙方法。
【請求項１０】
請求項１に記載のハンドルと、
前記回転軸によって回転する第１スプロケットと、
第２スプロケットと、
前記第１スプロケットと前記第２スプロケットに架け渡された無端状のチェーンと、
前記チェーンに設けられ、ウエブを取り付けるための取り付け部材と、
を有する通紙装置の通紙方法であって、
第１位置にある前記取り付け部材に前記ウエブを取り付け、
前記接続部に回転電動工具、又は、回転空圧工具の回転出力軸を接続し、
前記回転工具を駆動して、前記回転出力軸の回転によって前記回転軸を回転させ、前記第１スプロケットと前記第２スプロケットを回転させて前記チェーンを移動させ、前記取り付け部材を前記第１位置から第２位置まで移動させる、
通紙装置の通紙方法。
【発明の詳細な説明】
【技術分野】
【０００１】
本発明は、ハンドル、ハンドルを用いた通紙装置、通紙装置の通紙方法に関するものである。
【背景技術】
【０００２】
従来、フィルム、布帛などの長尺状のウエブを加工する場合には、巻出し装置の巻芯からウエブを巻出して搬送路に沿って走行させ、走行するウエブに塗工装置によって塗工液を塗工し、塗工後に乾燥装置に搬入して熱処理し、熱処理後に巻取り装置でウエブを巻芯に巻き取っている。
【０００３】
このとき、ウエブが搬送路に沿って走行させるために通紙装置を用いる。通紙装置は、搬送路に沿って設けられた無端状のチェーンに設けられた取り付け部材にウエブの前端を取り付け、チェーンと共にウエブを移動させることにより、ウエブを搬送路に沿って通紙する。
【先行技術文献】
【特許文献】
【０００４】
【特許文献１】特開平１０−３２４４３９号公報
【特許文献２】特開平９−５２２８３号公報
【発明の概要】
【発明が解決しようとする課題】
【０００５】
上記通紙装置において、無端状のチェーンの両端部には第１スプロケットと第２スプロケットがそれぞれ設けられ、無端状のチェーンを移動させるために、この第１スプロケットにハンドルが取り付けられている。作業員は、このハンドルを手動で回転させて、チェーンを移動させている。
【０００６】
しかし、作業員が手動でハンドルを回転させると作業員への負担が大きくなり、また、ハンドルを手動でなくモータなどの回転装置で回転させる場合には、その回転装置が大掛かりとなり、さらに、チェーンの移動の微妙な調整が難しいという問題点があった。
【０００７】
そこで本発明は上記問題点に鑑み、作業員が簡単に回転させることができるハンドル、それを用いた通紙装置及び通紙装置の通紙方法を提供することを目的とする。
【課題を解決するための手段】
【０００８】
本発明のハンドルは、回転軸と、前記回転軸を中心に回転する持ち手と、前記回転軸と同軸に設けられ、回転工具の回転する回転出力軸が接続される接続部と、を有する。
【０００９】
本発明の通紙装置は、上記ハンドルと、前記回転軸によって回転する第１スプロケットと、第２スプロケットと、前記第１スプロケットと前記第２スプロケットに架け渡された無端状のチェーンと、前記チェーンに設けられ、ウエブを取り付けるための取り付け部材と、を有する。
【発明の効果】
【００１０】
本発明によれば、ハンドルの接続部に回転工具の回転出力軸を接続し、回転工具でハンドルを回転させることができる。
【図面の簡単な説明】
【００１１】
【図１】本発明の一実施形態を示すハンドルを用いた通紙装置の平面図である。
【図２】通紙装置の右側面図である。
【図３】ハンドルの斜視図である。
【図４】グリップが突出している状態の持ち手の斜視図である。
【図５】回転工具を取り付けた状態のハンドルの斜視図である。
【図６】通紙装置の変更例の平面図である。
【発明を実施するための形態】
【００１２】
以下、本発明の一実施形態のハンドル１と、それを用いた通紙装置１０について図１〜図５を参照して説明する。
【００１３】
（１）通紙装置１０
まず、通紙装置１０について図１と図２を参照して説明する。
【００１４】
通紙装置１０は、フィルム、布帛、紙などの長尺状のウエブＷを加工するために、ウエブＷを巻芯に巻回している巻出し装置から巻取り装置までの間にある搬送路に沿ってウエブＷを通紙する装置であって、ウエブＷを第１位置（例えば、出発点）から第２位置（例えば、終点）まで搬送路に沿って通紙する。
【００１５】
搬送路の出発点には、左右一対の出発側スプロケット１２，１２が、連結軸１４によって同軸に設けられている。連結軸１４の左右両側には軸受１６，１６がそれぞれ設けられ、連結軸１４を回転自在に支持している。
【００１６】
搬送路の終点には、左右一対の終点側スプロケット１８，１８が設けられ、連結軸２０によって同軸に設けられている。連結軸２０の一端部（例えば左端部）には軸受２２が設けられ、連結軸２０の左端部を回転自在に支持している。連結軸２０の他端部（例えば、右端部）は、軸受を兼ねた減速機２４の回転する出力軸と連結されている。これにより、連結軸２０が減速機２４の回転する出力軸となる。この減速機２４の回転する入力軸側には、ハンドル１の回転軸２が取り付けられている。このハンドル１については後から説明する。
【００１７】
左右一対の出発側スプロケット１２，１２と終点側スプロケット１８，１８には、左右一対の無端状のチェーン２６，２６が架け渡されている。左右一対のチェーン２６，２６は、搬送路に沿って設けられているものであり、図２においては、搬送路は直線状に記載されているが、実際はウエブＷの加工状態によって斜め、縦方向などに設定されているものであり、搬送路の角度が変化する場合には、それぞれ案内用のスプロケットが設けられている。
【００１８】
左右一対のチェーン２６，２６の同じ位置の間には、取り付け部材２８が着脱自在に設けられている。この取り付け部材２８は、図１、図２に示すように、ウエブＷの前端部を固定するものであり、通紙を行う場合に取り付け部材２８を第１位置（出発点）に配し、ハンドル１を回転させることによりチェーン２６を移動させ、取り付け部材２８と共にウエブＷの前端部を第２位置（終点）まで移動させる。
【００１９】
（２）ハンドル１
次に、通紙装置１０に用いられるハンドル１について、図３〜図５を参照して説明する。
【００２０】
ハンドル１の回転軸２は、上記したように減速機２４の回転する入力軸側に取り付けられている。回転軸２が回転することにより、減速機２４で減速され、終点側スプロケット１８が所定の速度で回転する。
【００２１】
回転軸２には円板型の持ち手３が同軸に固定されている。この持ち手３の中央部であって、回転軸２と同軸に接続部４が設けられている。この接続部４は、持ち手３の中心、回転軸２と同軸で、かつ、六角形のボルトの頭が、持ち手３の表面よりも突出した状態で設けられている。すなわち、六角形の頭を有するボルトが、回転軸２に沿って持ち手３に螺合されている。図３〜図５に示すように、接続部４は、六角形の突出部であるボルトの頭であるため、市販の回転工具８である電動ソケットレンチの回転出力軸８ａを嵌め込むことができる。
【００２２】
持ち手３の中心より離れた位置には、平面形状が長方形の収納凹部５が設けられ、この収納凹部５の内部にはグリップ６が収納され、収納凹部５の端部とグリップ６の基部とがヒンジ７により結合されている。このヒンジ７により、収納凹部５に収納されたグリップ６を立設させて、持ち手３に対し直角に突出させることができる。
【００２３】
（３）通紙装置１０の通紙方法
次に、通紙装置１０の通紙方法について説明する。
【００２４】
まず、棒状の取り付け部材２８にウエブＷの前端部を固定する。
【００２５】
次に、搬送路の出発点において左右一対のチェーン２６，２６の間に取り付け部材２８を架け渡す。
【００２６】
次に、ハンドル１における持ち手３のグリップ６を、ヒンジ７を中心に回転させ、持ち手３から突出させる。
【００２７】
次に、作業員がグリップ６を持ってハンドル１を回転させる。これによって左右一対のチェーン２６，２６が出発点から移動し、回転工具８で移動可能な位置まで移動させる。
【００２８】
次に、回転工具８で移動可能な位置までウエブＷを移動させると、作業員は、グリップ６を、ヒンジ７を中心に回転させ、収納凹部５に収納する。
【００２９】
次に、接続部４に、回転工具８の回転出力軸８ａを嵌め込み、回転工具８の速度調整スイッチ９を操作して回転出力軸８ａを回転させ、ハンドル１を電動で回転させ、左右一対のチェーン２６，２６を移動させることにより取り付け部材２８を終点方向に移動させる。この場合に、ウエブＷの方向が変化する場合には、回転工具８の速度調整スイッチ９を操作し、ハンドル１の回転速度を落とす。これにより、左右一対のチェーン２６，２６もゆっくり移動し、確実に方向転換できる。
【００３０】
次に、取り付け部材２８が終点近くに来ると、回転工具８をハンドル１から外し、再びグリップ６を突出させる。そして、グリップ６によってハンドル１を回転させ、取り付け部材２８、すなわちウエブＷの前端部を終点に停止させる。
【００３１】
次に、作業員は、グリップ６を、ヒンジ７を中心に回転させ、収納凹部５に収納する。
【００３２】
（４）効果
本実施形態によれば、回転工具８によってハンドル１を電動で回転させるため、作業員の力を必要とすることなく、ウエブＷの通紙を行うことができる。この場合に回転工具８は、市販のものを用い、かつ、使用のときのみハンドル１の接続部４に回転工具８を接続するだけであるため、通紙装置１０に設置しておく必要がなく、装置構成が簡単となる。
【００３３】
また、通紙を行うときに回転工具８の速度調整スイッチ９を調整することにより、チェーン２６，２６の速度を落とすことができるので、ウエブＷの方向転換をする場合などにウエブＷが破れたり、傷がついたりしない。
【００３４】
また、作業員がウエブＷの位置の微調整を行って通紙を行う場合には、ハンドル１をグリップ６によって回転させることにより、位置を微調整できる。
【００３５】
また、回転工具８によって持ち手３を回転させている場合には、グリップ６を収納凹部５に収納しているため、グリップ６が、持ち手３の回転を邪魔しない。
【００３６】
（５）変更例
上記実施形態では、接続部４は六角形の突部であったが、これに代えて、六角形の凹部又は星形の凹部を用いることもできる。この場合には、回転工具８としては、電動の棒レンチ、又は、電動のインパクト棒レンチを用いる。
【００３７】
また、接続部４として、−または＋字状の溝を設け、回転工具（電動ドライバ、電動インパクトドライバ）８で回転させる構造であってもよい。
【００３８】
また、回転工具８は、電動工具に限らず空圧工具でもよい。
【００３９】
上記実施形態のハンドル１では、グリップ６を設けたが、このグリップ６を設けず回転工具８のみでハンドル１を回転させてもよい。
【００４０】
上記実施形態のハンドル１は、円板型であったが、自動車のハンドルのように、円環型でもよい。
【００４１】
また、上記実施形態では、通紙装置１０において、取り付け部材２８を左右一対の出発側スプロケット１２と左右一対の終点側スプロケット１８に架け渡された左右一対のチェーン２６に取り付けたが、これに代えて、図６に示すように、出発側スプロケット１２と終点側スプロケット１８が１個ずつあり、その間に１個の無端状のチェーン２６が架け渡され、そのチェーン２６に取り付け部材２８を固定した構造であってもよい。
【００４２】
また、上記実施形態では、ハンドル１を通紙装置１０のチェーン２６，２６を回転させる構造を用いたが、これ以外でも、例えば人力で引き上げるクレーン装置、その他の人力で回転させる必要があるハンドルに適用できる。
【００４３】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４４】
１・・・ハンドル、２・・・回転軸、３・・・持ち手、４・・・接続部、５・・・収納凹部、６・・・グリップ、７・・・ヒンジ、８・・・回転工具、９・・・速度調整スイッチ、１０・・・通紙装置、１２・・・出発側スプロケット、１８・・・終点側スプロケット、２６・・・チェーン、２８・・・取り付け部材
【図１】
2020181261.tif 000003
【図２】
2020181261.tif 000004
【図３】
2020181261.tif 000005
【図４】
2020181261.tif 000006
【図５】
2020181261.tif 000007
【図６】
2020181261.tif 000008